(57)【特許請求の範囲】
【請求項１】
中央に厚板を挟み、両側に薄板よりなる各２枚の波板と平板を交互に重ね合わせて、幅方向に多数の透孔が貫通した細長形の炎孔ブロックを形成し、バーナ本体を構成するパイプの母線に沿って設けた割溝内に上記炎孔ブロックを保持せしめて成るラインバーナ。
【請求項２】
上記炎孔ブロックの厚板の幅を波板と平板の幅よりも大きくして、厚板の長手方向の複数箇所に貫設したピンの先端を上記パイプに穿設したピン挿通孔に溶接し、該ピンにより割溝内に挿入された波板及び平板を係止せしめると共に、ピン溶接時にパイプを両側から加圧することにより、割溝の内側面と厚板間に波板と平板を保持せしめて成る請求項１記載のラインバーナ。
【発明の詳細な説明】
【０００１】
【発明の属する技術分野】
本発明は、コンベア式パンオーブン等に使用されるハニカム炎孔型のラインバーナに関するものである。
【０００２】
【従来の技術】
図１はこの種のラインバーナの全体構造を示し、図６はその炎孔部分の構造の従来例を示したもので、ステンレス製の薄板よりなるリボン状の波板２を長さ方向に約半ピッチずつずらせて複数枚積層し、幅方向に多数の透孔４が貫通したハニカム構造の炎孔ブロックＡを形成して、この炎孔ブロックＡをパイプ状のバーナ本体５の母線に沿って穿設した割溝６内に保持せしめたものである。このようにすれば、切削加工等を要せずに炎孔ブロックＡを安価なハニカム構造体で構成することができるので、ラインバーナの製造コストを大幅に低減することができる。
【０００３】
【発明が解決しようとする課題】
しかしながら上述のようなハニカム構造体よりなる炎孔ブロックＡを使用した場合、火炎が不揃いを生じてターンダウン比が大きくとれず、またハニカム構造体の加工が面倒である上に、割溝６内での炎孔ブロックＡの保持が容易でないという欠点があった。すなわち図６のようなハニカム構造体で構成される炎孔ブロックＡは、両側縁部の炎孔４ほど二次空気が豊富に供給されるために、中央部分の炎孔４では燃焼が緩慢となって火炎が長くなる。また波板２が弾性を有するために寸法精度が出にくく、炎孔面積に大小が生じるために火炎長が揃わず、これがターンダウン比向上の障害となる上に、火力を絞った時に燃焼が不安定となる原因となっていた。
【０００４】
更に炎孔ブロックＡを割溝６内に保持させるために、従来はハニカム構造体に貫通孔を設けてピンを挿通し、ピンの両端をバ−ナ本体５に溶接していたが、波板２を変形させずに貫通孔を加工するのは容易でなく、炭酸ガスレーザ等を使用する必要がある上に、ピンを貫通した部分の燃料供給が悪くなって火炎の不揃いの原因となっていた。
本発明はこれらの問題点を解消し、火炎長が均一で燃焼が安定し、しかもハニカム構造体の加工や組立がきわめて簡単なこの種のラインバーナを提供することを目的とするものである。
【０００５】
【課題を解決するための手段】
本発明によるラインバーナは、図１〜４に示すように、中央に厚板１を挟み、両側に薄板よりなる各２枚の波板２と平板３を交互に重ね合わせて、幅方向に多数の透孔４が貫通した細長形の炎孔ブロックＡを形成し、バーナ本体を構成するパイプ５の母線に沿って設けた割溝６内に上記炎孔ブロックＡを保持せしめたものであって、ハニカム構造体の中央に厚板１を介在させると共に、厚板１の両側の炎孔列をそれぞれ２列としたことにより、各炎孔列へ二次空気が均等に供給されるようにし、それによって火炎長の不揃いを防止すると共に、隣り合う波板２間に平板３を挟むことによってハニカム構造体の組立を容易にし、寸法精度を向上すると共に、炎孔面積の不揃いを解消したものである。
【０００６】
【発明の実施の形態】
図１〜４は本発明の一実施例を示したもので、炎孔ブロックＡを構成するハニカム構造体は、スペーサの役目をする厚板１の両側に、それぞれステンレス製の薄板よりなる波板２と平板３とを２枚ずつ用いて、左右各２列の炎孔列３を形成したものである。こうして形成された炎孔ブロックＡは、パイプ状のバーナ本体５の母線に沿って設けられた割溝６内に嵌挿され、割溝６の両側面間に保持される。
【０００７】
また炎孔ブロックＡを割溝６内に挿着する方法として従来は電気溶接が行われていたが、本発明（請求項２）では溶接を省略し、炎孔ブロックＡの各部材を単に重ね合わせるのみで、ハニカム構造体のばね性を利用して割溝６の両側面間に挟持させる。すなわち炎孔ブロックＡの厚板１の幅を波板２及び平板３の幅よりも大きくして、その余分の幅をパイプ５の内方に向かって突出させ、この突出部分の複数箇所に貫設したピン７の先端をパイプ５に穿設したピン挿通孔８に溶接して、このピン７により割溝６内に挿入された波板２及び平板３を係止させるものであり、またピン７の溶接時にパイプ５をバイスで挟み、両側から加圧しながら溶接を行うことにより、割溝６の内側面と厚板１間に波板２と平板３を挟持させる。このようにすれば、炎孔ブロックＡは波板２のばね性によって割溝６内に強固に保持されるのである。なお厚板１に穿設されたピン挿通孔９は、厚板１の全長の両端付近では長手方向に延びた長孔とし、燃焼時における炎孔ブロックＡの熱膨張を吸収するようにしている。
【０００８】
【実施例】
炎孔ブロックの厚み１０ｍｍ，全長１６００ｍｍ，ステンレス製の厚板の厚み５ｍｍ，波板及び平板には厚さ０．３ｍｍのステンレス薄板を使用し、波板の厚み１．２ｍｍ，ピンの直径３ｍｍ，パイプの内径４０ｍｍとして製作した本発明ラインバーナの燃焼状態を図５（ａ）に示した。同図（ｂ）に示した従来例（図６）の燃焼状態と比較して、火炎長の不揃いや火炎の偏りがなくなり、またターンダウン時の燃焼の不安定もなくなって、ターンダウン比も改善された。
【０００９】
【発明の効果】
本発明によるラインバーナは上述のように、炎孔ブロックＡを構成するハニカム構造体の中央の厚板１をスペーサとし、両側にそれぞれ２列の炎孔列を配したことにより、各炎孔列に均等に二次空気が供給されると共に、隣接する火炎同士の干渉が防止できるので、火炎長の不揃いやターンダウン時の不安定燃焼を改善でき、またそれによってターンダウン比も向上するという利点がある。また中央の厚板１により炎孔ブロックＡの剛性を増すことができるので、組立作業も容易になる上に、波板２間に平板３を介在させたことにより、波板２の弾性による寸法精度の低下も解消し得るという利点がある。
【００１０】
更に請求項２の発明によれば、炎孔ブロックＡを割溝６内に支持するピン７によって波板２及び平板３が係止されると共に、バーナ本体５を両側から挟圧しながらピン７の先端をバーナ本体５に溶接固定されるものであるから、従来のような波板同士の溶接を要することなく、単に各部材を重ね合わせるだけでハニカム構造体を構成することができる上に、変形し易いハニカム構造体にピン挿通孔９を穿設する必要がないので、製造コストの大幅な節減を図ることができるという利点がある。
【図面の簡単な説明】
【図１】本発明の一実施例を示す全体斜視図。
【図２】同上の要部上面図。
【図３】同上の横断面図。
【図４】同上の炎孔ブロックの要部斜視図。
【図５】本発明及び従来例の火炎形状の比較図。
【図６】従来例の要部上面図。
【符号の説明】
１  厚板
２  波板
３  平板
４  透孔あるいは炎孔
５  バーナ本体あるいはパイプ
６  割溝
７  ピン
８  ピン挿通孔
９  ピン挿通孔
Ａ  炎孔ブロック
【図１】
0003631567.tif 000002
【図２】
0003631567.tif 000003
【図３】
0003631567.tif 000004
【図４】
0003631567.tif 000005
【図５】
0003631567.tif 000006
【図６】
0003631567.tif 000007